(57)【要約】【課題】デジタル放送やインターネットを介したコンテンツ配信サービスなどの様々なサービス形態により配信される無数の番組の中から、ユーザにとって最適な条件で好みの番組を視聴できるようにするマルチメディア再生装置、および番組提供システムを提供する。【解決手段】デジタル放送局やインターネット配信局などの複数の異なる番組配信局の中のある番組配信局から配信される番組の一覧を表示するとき、制御手段１１０は、各番組配信局から配信される各番組の番組情報をメモリ１０４に蓄積させ、上記ある番組配信局から配信される番組と同じ番組を他の番組配信局から配信される番組の中から検索し、上記ある番組配信局から配信される番組一覧にこの検索した番組の情報を追加した表示データを構築する。【選択図】　図１
2004104721.tif 000002
【特許請求の範囲】
【請求項１】
複数の異なる番組配信局から配信される番組のコンテンツデータを受信し再生することが可能であるとともに、各々の番組配信局から配信される番組情報を受信して取得し、この取得した番組情報を基に表示データを構築し、所定の情報を教示するための番組一覧を表示装置に表示させることが可能なマルチメディア再生装置であって、
各々の番組配信局から配信される番組情報を受信し取得する番組情報取得手段と、
少なくとも一の番組配信局から配信される番組の一覧表示を指示する番組一覧表示指示手段と、
前記番組情報取得手段により取得した番組情報を基に、前記番組一覧表示指示手段により一覧表示を指示された番組と同じ番組を他の番組配信局が配信する番組の中から検索する番組検索手段と、
前記番組一覧表示指示手段により一覧表示を指示された番組の番組情報と前記番組検索手段が検索した検索番組の番組情報を基に、これらの番組それぞれの所定の情報を教示するための表示データを構築し、当該マルチメディア再生装置に接続される表示装置に一覧表示させる番組一覧表示制御手段と
を具備することを特徴とするマルチメディア再生装置。
【請求項２】
請求項１記載のマルチメディア再生装置であって、
前記番組一覧表示指示手段により一覧表示を指示された番組の番組情報を他の番組配信局へ送信するとともに、この一覧表示を指示された番組と同じ番組の検索とその検索番組の番組情報の送信を当該他の番組配信局に対し要求する番組検索要求手段と、
上記要求により送信されてきた検索番組の番組情報を受信し取得する検索番組情報取得手段と
を具備し、前記番組一覧表示制御手段は、前記番組一覧表示指示手段により一覧表示を指示された番組の番組情報と前記検索番組情報取得手段により取得した検索番組の番組情報を基に、これらの番組それぞれの所定の情報を教示するための表示データを構築することを特徴とするマルチメディア再生装置。
【請求項３】
請求項１もしくは２のいずれかに記載のマルチメディア再生装置であって、
前記番組一覧表示指示手段により一覧表示を指示された番組の番組配信局へ検索番組の番組情報を送信するとともに、番組視聴料金情報の送信を当該番組配信局に対し要求する番組視聴料金情報要求手段と、
上記要求により送信されてきた番組視聴料金情報を受信し取得する番組視聴料金情報取得手段と
を具備し、前記番組一覧表示制御手段は、前記所定の情報に、前記番組視聴料金情報取得手段により取得した番組視聴料金情報を加えた表示データを構築することを特徴とするマルチメディア再生装置。
【請求項４】
請求項１乃至３のいずれかに記載のマルチメディア再生装置であって、前記番組一覧表示指示手段により一覧表示を指示された番組の中から、検索番組に該当する番組の表示を削除するための番組情報削除手段を具備することを特徴とするマルチメディア再生装置。
【請求項５】
複数の異なる番組配信局から配信される番組のコンテンツデータを受信し再生することが可能であるとともに、各々の番組配信局から配信される番組情報を受信して取得し、この取得した番組情報を基に表示データを構築し、所定の情報を教示するための番組一覧を表示装置に表示させることが可能なマルチメディア再生装置であって、
各々の番組配信局から配信される番組情報を受信し取得する番組情報取得手段と、
前記番組情報取得手段により取得した番組情報を基に、配信される番組の中から少なくとも一の番組を選択する番組選択手段と、
前記番組情報取得手段により取得した番組情報を基に、前記番組選択手段により選択された選択番組と同じ番組を検索する番組検索手段と、
前記番組選択手段により選択された選択番組の番組情報と前記番組検索手段が検索した検索番組の番組情報を基に、これらの番組それぞれの所定の情報を教示するための表示データを構築し、当該マルチメディア再生装置に接続される表示装置に表示させる番組表示制御手段と
を具備することを特徴とするマルチメディア再生装置。
【請求項６】
請求項５記載のマルチメディア再生装置であって、
前記番組選択手段により選択された選択番組の番組情報を各番組配信局へ送信するとともに、この選択番組と同じ番組の検索とその検索番組の番組情報の送信を当該各番組配信局に対し要求する番組検索要求手段と、
上記要求により送信されてきた検索番組の番組情報を受信し取得する検索番組情報取得手段と
を具備し、前記番組表示制御手段は、選択番組の番組情報と前記検索番組情報取得手段により取得した検索番組の番組情報を基に、これらの番組それぞれの所定の情報を教示するための表示データを構築することを特徴とするマルチメディア再生装置。
【請求項７】
請求項５もしくは６のいずれかに記載のマルチメディア再生装置であって、
前記番組選択手段により選択された選択番組の番組配信局へ検索番組の番組情報を送信するとともに、番組視聴料金情報の送信を当該番組配信局に対し要求する番組視聴料金情報要求手段と、
上記要求により送信されてきた番組視聴料金情報を受信し取得する番組視聴料金情報取得手段と
を具備し、前記番組表示制御手段は、前記所定の情報に、前記番組視聴料金情報取得手段により取得した番組視聴料金情報を加えた表示データを構築することを特徴とするマルチメディア再生装置。
【請求項８】
前記番組表示制御手段は、選択番組と検索番組を一覧表示させる表示データを構築することを特徴とする請求項５乃至７記載のマルチメディア再生装置。
【請求項９】
前記番組検索手段は、番組情報を構成する番組属性情報の中の任意の情報すべてが同じ番組を検索することを特徴とする請求項１乃至８のいずれかに記載のマルチメディア再生装置。
【請求項１０】
前記番組検索手段は、番組情報を構成する番組属性情報の中の任意の情報のうちの少なくとも一が同じ番組を検索することを特徴とする請求項１乃至８のいずれかに記載のマルチメディア再生装置。
【請求項１１】
前記番組情報取得手段は、番組のコンテンツデータとともに番組情報が多重化されたデジタルストリームを受信し、この受信したデジタルストリームから番組情報を抽出することを特徴とする請求項１乃至１０のいずれかに記載のマルチメディア再生装置。
【請求項１２】
複数の異なる番組配信局の一がデジタル放送局であり、このデジタル放送局から配信される番組のコンテンツデータの受信と再生が可能であることを特徴とする請求項１乃至１１のいずれかに記載のマルチメディア再生装置。
【請求項１３】
複数の異なる番組配信局の一がインターネット配信局であり、このインターネット配信局から配信される番組のコンテンツデータの受信と再生が可能であることを特徴とする請求項１乃至１２のいずれかに記載のマルチメディア再生装置。
【請求項１４】
請求項１乃至１３のいずれかに記載のマルチメディア再生装置であって、受信した番組のコンテンツデータを記録媒体に記録させる番組記録手段と、前記記録媒体に記録された番組のコンテンツデータを再生する番組再生手段とを具備することを特徴とするマルチメディア再生装置。
【請求項１５】
請求項１４記載のマルチメディア再生装置であって、ネットワークを介して接続された別のマルチメディア再生装置へ前記記録媒体に記録されている番組のコンテンツデータを配信するための記録番組提供手段を具備し、当該マルチメディア再生装置が複数の異なる番組配信局の一となることが可能なことを特徴とするマルチメディア再生装置。
【請求項１６】
請求項２記載のマルチメディア再生装置を用いる番組提供システムであって、番組配信局側に、
前記番組検索要求手段から送信される前記番組一覧表示指示手段により一覧表示を指示された番組の番組情報を受信するとともに、この一覧表示を指示された番組と同じ番組の検索とその検索番組の番組情報の送信要求を受諾する番組検索要求受諾手段と、
前記番組検索要求受諾手段が受信した番組情報に該当する番組を当該番組配信局が配信する番組の中から検索し、番組検索の要求元へ送信する検索番組情報送信手段と
を具備させることを特徴とする番組提供システム。
【請求項１７】
請求項６記載のマルチメディア再生装置を用いる番組提供システムであって、番組配信局側に、
前記番組検索要求手段から送信される前記番組選択手段により選択された番組の番組情報を受信するとともに、この選択番組と同じ番組の検索とその検索番組の番組情報の送信要求を受諾する番組検索要求受諾手段と、
前記番組検索要求受諾手段が受信した番組情報に該当する番組を当該番組配信局が配信する番組の中から検索し、番組検索の要求元へ送信する検索番組情報送信手段と
を具備させることを特徴とする番組提供システム。
【請求項１８】
前記検索番組情報送信手段は、番組情報を構成する番組属性情報の中の任意の情報すべてが同じ番組を検索し、番組検索の要求元へ送信することを特徴とする請求項１６もしくは１７のいずれかに記載の番組提供システム。
【請求項１９】
前記検索番組情報送信手段は、番組情報を構成する番組属性情報の中の任意の情報のうちの少なくとも一が同じ番組を検索し、番組検索の要求元へ送信することを特徴とする請求項１６もしくは１７のいずれかに記載の番組提供システム。
【請求項２０】
請求項３記載のマルチメディア再生装置を用いる番組提供システムであって、番組配信局側に、
前記番組視聴料金情報要求手段から送信される検索番組の番組情報を受信するとともに、番組視聴料金情報の送信要求を受諾する番組視聴料金情報要求受諾手段と、
前記番組視聴料金情報要求受諾手段が受信した番組情報を基に、検索番組の放送開始日時あるいは放送終了日時と現在の日時との時間差に応じて前記番組一覧指示手段により一覧表示を指示された番組の番組視聴料金を設定する番組視聴料金設定手段と、
前記番組視聴料金設定手段が設定した番組視聴料金の情報をその要求元へ送信する番組視聴料金情報送信手段と
を具備させることを特徴とする番組提供システム。
【請求項２１】
請求項７記載のマルチメディア再生装置を用いる番組提供システムであって、番組配信局側に、
前記番組視聴料金情報要求手段から送信される検索番組の番組情報を受信するとともに、番組視聴料金情報の送信要求を受諾する番組視聴料金情報要求受諾手段と、
前記番組視聴料金情報要求受諾手段が受信した番組情報を基に、検索番組の放送開始日時あるいは放送終了日時と現在の日時との時間差に応じて前記番組選択手段により選択された選択番組の番組視聴料金を設定する番組視聴料金設定手段と、
前記番組視聴料金設定手段が設定した番組視聴料金の情報をその要求元へ送信する番組視聴料金情報送信手段と
を具備させることを特徴とする番組提供システム。
【請求項２２】
前記番組視聴料金設定手段は、現在の日時が検索番組の放送時間中であるか否かに従って番組視聴料金を設定することを特徴とする請求項２０もしくは２１のいずれかに記載の番組提供システム。
【請求項２３】
前記番組視聴料金設定手段は、検索番組の放送開始日時あるいは放送終了日時との時間差ごとの番組視聴料金を設定し、これら複数の番組視聴料金の情報を番組視聴料金情報とすることを特徴とする請求項２０もしくは２１のいずれかに記載の番組提供システム。
【請求項２４】
前記番組視聴料金設定手段は、検索番組の放送開始日時あるいは放送終了日時との時間差ごとの割引率を設定し、これら複数の割引率の情報および基本視聴料金の情報を番組視聴料金情報とすることを特徴とする請求項２０もしくは２１のいずれかに記載の番組提供システム。
【発明の詳細な説明】
【０００１】
【発明の属する技術分野】
本発明は、コンテンツ配信サービスを行っているインターネット配信局やデジタル放送局などの複数の異なる番組配信局から配信される番組のコンテンツデータを受信し再生することが可能であるとともに、各々の番組配信局から配信される番組情報を受信して取得し、これらの番組情報を基に表示データを構築し、所定の情報を教示するための番組一覧をテレビ受像機などの表示装置に表示させることが可能なマルチメディア再生装置、および番組提供システムに関する。
【０００２】
【従来の技術】
近年、テレビ放送においては、地上波のアナログ放送に代わり、地上波のデジタル放送の他、通信衛星や放送衛星を介したデジタル放送が急速に普及しつつある。
【０００３】
デジタル放送では、圧縮した映像音声データ（コンテンツデータ）を複数多重化することが可能であり、チャンネル数や番組数が極めて多くなることが予想される。そのため、デジタル放送受信装置には、放送する番組のジャンルや放送時間などに関する電子番組ガイド（ＥＰＧ：Ｅｌｅｃｔｒｉｃａｌ　Ｐｒｏｇｒａｍ　Ｇｕｉｄｅ）を基に、無数にある番組の中からユーザの好みの番組を検索する手段が不可欠なものとなっている。
【０００４】
このように電子番組ガイドを基にしてユーザの好みの番組を検索する従来のデジタル放送受信装置として、ユーザの嗜好や都合を複数の面から総合的に判断し、ユーザの要望を忠実に反映して番組検索を行うものがある（例えば、特許文献１参照。）。
【０００５】
【特許文献１】
特開２００２−１１２１３２号公報（段落（００１３）〜（００２３）、段落（００３３）〜（００３７）、図２、図６）
【０００６】
【発明が解決しようとする課題】
ところで、従来は、番組を配信する手段としてテレビ放送が一般的であったが、近年、ネットワーク技術の発達に伴い、ネットワークを介したコンテンツ配信サービスによる番組配信も行われるようなってきている。一方、ＨＤＤ（Ｈａｒｄ　Ｄｉｓｋ　Ｄｒｉｖｅ）などの大容量記録装置により一度に多数の番組を家庭で蓄積してホームサーバーを構築することができるようにもなってきている。このような状況から、ユーザは、デジタル放送局から配信される番組を決められた時間に視聴するだけではなく、インターネットを介したコンテンツ配信サービスを利用したり、大容量記録装置で一度に多数の番組を蓄積したりすることにより、見たい番組をいつでも見ることができるようになってきている。
【０００７】
そこで、本発明は、デジタル放送やインターネットを介したコンテンツ配信サービスなどの様々なサービス形態により配信される無数の番組の中から、ユーザにとって最適な条件で好みの番組を視聴できるようにするマルチメディア再生装置、および番組提供システムを提供することを目的とする。
【０００８】
すなわち、デジタル放送局やインターネット配信局などの複数の異なる番組配信局から配信される各番組の番組情報を基に、ある番組配信局から配信される番組と同じ番組を他の番組配信局から配信される番組の中から検索し、上記ある番組配信局から配信される番組の一覧（各番組に関する所定の情報を教示するための番組一覧）を表示するとき、これらの番組と関連性のある番組（検索番組）に関する所定の情報を追加して表示することにより、ユーザは、上記ある番組配信局から配信される番組に関する所定の情報と、これらの番組と関連性のある番組（検索番組）に関する所定の情報を見比べることができ、ユーザにとって最適な条件の番組を視聴することが可能となる。
【０００９】
また、各番組配信局から配信される各番組の番組情報を基に、ユーザが選択した番組と同じ番組を検索し、この選択番組に関する所定の情報と、選択番組と関連性のある番組（検索番組）に関する所定の情報とを併せて表示することにより、ユーザは、選択番組に関する所定の情報と、選択番組と関連性のある番組（検索番組）に関する所定の情報を見比べることができ、ユーザにとって関心のある番組を最適な条件で視聴することが可能となる。
【００１０】
また、各番組配信局から配信される各番組の番組情報を基に、ある番組配信局から配信される番組と同じ番組を他の番組配信局から配信される番組の中から検索し、上記ある番組配信局側で、検索番組の放送日時に応じた番組視聴料金の設定を行う番組提供システムとすることにより、ユーザにとってより好適な条件で番組配信を受けることが可能となる。
【００１１】
また、各番組配信局から配信される各番組の番組情報を基に、ユーザが選択した番組と同じ番組を検索し、この選択番組を配信する番組配信局側で、検索番組の放送日時に応じた番組視聴料金の設定を行う番組提供システムとすることにより、ユーザにとってより好適な条件で番組配信を受けることが可能となる。
【００１２】
【課題を解決するための手段】
本発明の請求項１記載のマルチメディア再生装置は、複数の異なる番組配信局から配信される番組のコンテンツデータを受信し再生することが可能であるとともに、各々の番組配信局から配信される番組情報を受信して取得し、この取得した番組情報を基に表示データを構築し、所定の情報を教示するための番組一覧を表示装置に表示させることが可能なマルチメディア再生装置であって、各々の番組配信局から配信される番組情報を受信し取得する番組情報取得手段と、少なくとも一の番組配信局から配信される番組の一覧表示を指示する番組一覧表示指示手段と、前記番組情報取得手段により取得した番組情報を基に、前記番組一覧表示指示手段により一覧表示を指示された番組と同じ番組を他の番組配信局が配信する番組の中から検索する番組検索手段と、前記番組一覧表示指示手段により一覧表示を指示された番組の番組情報と前記番組検索手段が検索した検索番組の番組情報を基に、これらの番組それぞれの所定の情報を教示するための表示データを構築し、当該マルチメディア再生装置に接続される表示装置に一覧表示させる番組一覧表示制御手段とを具備することを特徴とする。
【００１３】
本発明の請求項２記載のマルチメディア再生装置は、請求項１記載のマルチメディア再生装置であって、前記番組一覧表示指示手段により一覧表示を指示された番組の番組情報を他の番組配信局へ送信するとともに、この一覧表示を指示された番組と同じ番組の検索とその検索番組の番組情報の送信を当該他の番組配信局に対し要求する番組検索要求手段と、上記要求により送信されてきた検索番組の番組情報を受信し取得する検索番組情報取得手段とを具備し、前記番組一覧表示制御手段は、前記番組一覧表示指示手段により一覧表示を指示された番組の番組情報と前記検索番組情報取得手段により取得した検索番組の番組情報を基に、これらの番組それぞれの所定の情報を教示するための表示データを構築することを特徴とする。
【００１４】
本発明の請求項３記載のマルチメディア再生装置は、請求項１もしくは２のいずれかに記載のマルチメディア再生装置であって、前記番組一覧表示指示手段により一覧表示を指示された番組の番組配信局へ検索番組の番組情報を送信するとともに、番組視聴料金情報の送信を当該番組配信局に対し要求する番組視聴料金情報要求手段と、上記要求により送信されてきた番組視聴料金情報を受信し取得する番組視聴料金情報取得手段とを具備し、前記番組一覧表示制御手段は、前記所定の情報に、前記番組視聴料金情報取得手段により取得した番組視聴料金情報を加えた表示データを構築することを特徴とする。
【００１５】
本発明の請求項４記載のマルチメディア再生装置は、請求項１乃至３のいずれかに記載のマルチメディア再生装置であって、前記番組一覧表示指示手段により一覧表示を指示された番組の中から、検索番組に該当する番組の表示を削除するための番組情報削除手段を具備することを特徴とする。
【００１６】
本発明の請求項５記載のマルチメディア再生装置は、複数の異なる番組配信局から配信される番組のコンテンツデータを受信し再生することが可能であるとともに、各々の番組配信局から配信される番組情報を受信して取得し、この取得した番組情報を基に表示データを構築し、所定の情報を教示するための番組一覧を表示装置に表示させることが可能なマルチメディア再生装置であって、各々の番組配信局から配信される番組情報を受信し取得する番組情報取得手段と、前記番組情報取得手段により取得した番組情報を基に、配信される番組の中から少なくとも一の番組を選択する番組選択手段と、前記番組情報取得手段により取得した番組情報を基に、前記番組選択手段により選択された選択番組と同じ番組を検索する番組検索手段と、前記番組選択手段により選択された選択番組の番組情報と前記番組検索手段が検索した検索番組の番組情報を基に、これらの番組それぞれの所定の情報を教示するための表示データを構築し、当該マルチメディア再生装置に接続される表示装置に表示させる番組表示制御手段とを具備することを特徴とする。
【００１７】
本発明の請求項６記載のマルチメディア再生装置は、請求項５記載のマルチメディア再生装置であって、前記番組選択手段により選択された選択番組の番組情報を各番組配信局へ送信するとともに、この選択番組と同じ番組の検索とその検索番組の番組情報の送信を当該各番組配信局に対し要求する番組検索要求手段と、上記要求により送信されてきた検索番組の番組情報を受信し取得する検索番組情報取得手段とを具備し、前記番組表示制御手段は、選択番組の番組情報と前記検索番組情報取得手段により取得した検索番組の番組情報を基に、これらの番組それぞれの所定の情報を教示するための表示データを構築することを特徴とする。
【００１８】
本発明の請求項７記載のマルチメディア再生装置は、請求項５もしくは６のいずれかに記載のマルチメディア再生装置であって、前記番組選択手段により選択された選択番組の番組配信局へ検索番組の番組情報を送信するとともに、番組視聴料金情報の送信を当該番組配信局に対し要求する番組視聴料金情報要求手段と、上記要求により送信されてきた番組視聴料金情報を受信し取得する番組視聴料金情報取得手段とを具備し、前記番組表示制御手段は、前記所定の情報に、前記番組視聴料金情報取得手段により取得した番組視聴料金情報を加えた表示データを構築することを特徴とする。
【００１９】
本発明の請求項８記載のマルチメディア再生装置は、請求項５乃至７記載のマルチメディア再生装置であって、前記番組表示制御手段は、選択番組と検索番組を一覧表示させる表示データを構築することを特徴とする。
【００２０】
本発明の請求項９記載のマルチメディア再生装置は、請求項１乃至８のいずれかに記載のマルチメディア再生装置であって、前記番組検索手段は、番組情報を構成する番組属性情報の中の任意の情報すべてが同じ番組を検索することを特徴とする。
【００２１】
本発明の請求項１０記載のマルチメディア再生装置は、請求項１乃至８のいずれかに記載のマルチメディア再生装置であって、前記番組検索手段は、番組情報を構成する番組属性情報の中の任意の情報のうちの少なくとも一が同じ番組を検索することを特徴とする。
【００２２】
本発明の請求項１１記載のマルチメディア再生装置は、請求項１乃至１０のいずれかに記載のマルチメディア再生装置であって、前記番組情報取得手段は、番組のコンテンツデータとともに番組情報が多重化されたデジタルストリームを受信し、この受信したデジタルストリームから番組情報を抽出することを特徴とする。
【００２３】
本発明の請求項１２記載のマルチメディア再生装置は、請求項１乃至１１のいずれかに記載のマルチメディア再生装置であって、複数の異なる番組配信局の一がデジタル放送局であり、このデジタル放送局から配信される番組のコンテンツデータの受信と再生が可能であることを特徴とする。
【００２４】
本発明の請求項１３記載のマルチメディア再生装置は、請求項１乃至１２のいずれかに記載のマルチメディア再生装置であって、複数の異なる番組配信局の一がインターネット配信局であり、このインターネット配信局から配信される番組のコンテンツデータの受信と再生が可能であることを特徴とする。
【００２５】
本発明の請求項１４記載のマルチメディア再生装置は、請求項１乃至１３のいずれかに記載のマルチメディア再生装置であって、受信した番組のコンテンツデータを記録媒体に記録させる番組記録手段と、前記記録媒体に記録された番組のコンテンツデータを再生する番組再生手段とを具備することを特徴とする。
【００２６】
本発明の請求項１５記載のマルチメディア再生装置は、請求項１４記載のマルチメディア再生装置であって、ネットワークを介して接続された別のマルチメディア再生装置へ前記記録媒体に記録されている番組のコンテンツデータを配信するための記録番組提供手段を具備し、当該マルチメディア再生装置が複数の異なる番組配信局の一となることが可能なことを特徴とする。
【００２７】
本発明の請求項１６記載の番組提供システムは、請求項２記載のマルチメディア再生装置を用いる番組提供システムであって、番組配信局側に、前記番組検索要求手段から送信される前記番組一覧表示指示手段により一覧表示を指示された番組の番組情報を受信するとともに、この一覧表示を指示された番組と同じ番組の検索とその検索番組の番組情報の送信要求を受諾する番組検索要求受諾手段と、前記番組検索要求受諾手段が受信した番組情報に該当する番組を当該番組配信局が配信する番組の中から検索し、番組検索の要求元へ送信する検索番組情報送信手段とを具備させることを特徴とする。
【００２８】
本発明の請求項１７記載の番組提供システムは、請求項６記載のマルチメディア再生装置を用いる番組提供システムであって、番組配信局側に、前記番組検索要求手段から送信される前記番組選択手段により選択された番組の番組情報を受信するとともに、この選択番組と同じ番組の検索とその検索番組の番組情報の送信要求を受諾する番組検索要求受諾手段と、前記番組検索要求受諾手段が受信した番組情報に該当する番組を当該番組配信局が配信する番組の中から検索し、番組検索の要求元へ送信する検索番組情報送信手段とを具備させることを特徴とする。
【００２９】
本発明の請求項１８記載の番組提供システムは、請求項１６もしくは１７のいずれかに記載の番組提供システムであって、前記検索番組情報送信手段は、番組情報を構成する番組属性情報の中の任意の情報すべてが同じ番組を検索し、番組検索の要求元へ送信することを特徴とする。
【００３０】
本発明の請求項１９記載の番組提供システムは、請求項１６もしくは１７のいずれかに記載の番組提供システムであって、前記検索番組情報送信手段は、番組情報を構成する番組属性情報の中の任意の情報のうちの少なくとも一が同じ番組を検索し、番組検索の要求元へ送信することを特徴とする。
【００３１】
本発明の請求項２０記載の番組提供システムは、請求項３記載のマルチメディア再生装置を用いる番組提供システムであって、番組配信局側に、前記番組視聴料金情報要求手段から送信される検索番組の番組情報を受信するとともに、番組視聴料金情報の送信要求を受諾する番組視聴料金情報要求受諾手段と、前記番組視聴料金情報要求受諾手段が受信した番組情報を基に、検索番組の放送開始日時あるいは放送終了日時と現在の日時との時間差に応じて前記番組一覧指示手段により一覧表示を指示された番組の番組視聴料金を設定する番組視聴料金設定手段と、前記番組視聴料金設定手段が設定した番組視聴料金の情報をその要求元へ送信する番組視聴料金情報送信手段とを具備させることを特徴とする。
【００３２】
本発明の請求項２１記載の番組提供システムは、請求項７記載のマルチメディア再生装置を用いる番組提供システムであって、番組配信局側に、前記番組視聴料金情報要求手段から送信される検索番組の番組情報を受信するとともに、番組視聴料金情報の送信要求を受諾する番組視聴料金情報要求受諾手段と、前記番組視聴料金情報要求受諾手段が受信した番組情報を基に、検索番組の放送開始日時あるいは放送終了日時と現在の日時との時間差に応じて前記番組選択手段により選択された選択番組の番組視聴料金を設定する番組視聴料金設定手段と、前記番組視聴料金設定手段が設定した番組視聴料金の情報をその要求元へ送信する番組視聴料金情報送信手段とを具備させることを特徴とする。
【００３３】
本発明の請求項２２記載の番組提供システムは、請求項２０もしくは２１のいずれかに記載の番組提供システムであって、前記番組視聴料金設定手段は、現在の日時が検索番組の放送時間中であるか否かに従って番組視聴料金を設定することを特徴とする。
【００３４】
本発明の請求項２３記載の番組提供システムは、請求項２０もしくは２１のいずれかに記載の番組提供システムであって、前記番組視聴料金設定手段は、検索番組の放送開始日時あるいは放送終了日時との時間差ごとの番組視聴料金を設定し、これら複数の番組視聴料金の情報を番組視聴料金情報とすることを特徴とする。
【００３５】
本発明の請求項２４記載の番組提供システムは、請求項２０もしくは２１のいずれかに記載の番組提供システムであって、前記番組視聴料金設定手段は、検索番組の放送開始日時あるいは放送終了日時との時間差ごとの割引率を設定し、これら複数の割引率の情報および基本視聴料金の情報を番組視聴料金情報とすることを特徴とする。
【００３６】
以上のように、本発明によれば、デジタル放送やインターネットを介したコンテンツ配信サービスなどの様々なサービス形態により配信される無数の番組の中から、ユーザにとって最適な条件で好みの番組を視聴できるようにすることが可能となる。
【００３７】
すなわち、デジタル放送局やインターネット配信局などの複数の異なる番組配信局から配信される各番組の番組情報を基に、ある番組配信局から配信される番組と同じ番組を他の番組配信局から配信される番組の中から検索し、上記ある番組配信局から配信される番組に関する所定の情報と、これらの番組と関連性のある他の番組配信局から配信される番組（検索番組）に関する所定の情報とを併せて表示するので、ユーザは、上記ある番組配信局から配信される番組に関する所定の情報と、これらの番組と関連性のある番組（検索番組）に関する所定の情報を見比べることができ、ユーザにとって最適な条件の番組を視聴することが可能となる。
【００３８】
また、各番組配信局から配信される各番組の番組情報を基に、ユーザが選択した番組と同じ番組を検索し、この選択番組に関する所定の情報と、選択番組と関連性のある番組（検索番組）に関する所定の情報とを併せて表示するので、ユーザは、選択番組に関する所定の情報と、選択番組と関連性のある番組（検索番組）に関する所定の情報を見比べることができ、ユーザにとって関心のある番組を最適な条件で視聴することが可能となる。
【００３９】
また、各番組配信局から配信される各番組の番組情報を基に、ある番組配信局から配信される番組と同じ番組を他の番組配信局から配信される番組の中から検索し、上記ある番組配信局側で、検索番組の放送日時に応じた番組視聴料金の設定を行うので、ユーザにとってより好適な条件で番組配信を受けることが可能となる。
【００４０】
また、各番組配信局から配信される各番組の番組情報を基に、ユーザが選択した番組と同じ番組を検索し、この選択番組を配信する番組配信局側で、検索番組の放送日時に応じた番組視聴料金の設定を行うので、ユーザにとってより好適な条件で番組配信を受けることが可能となる。
【００４１】
【発明の実施の形態】
以下、本発明の実施の形態について図面を参照しながら説明する。なお、ここで示す実施の形態はあくまでも一例であって、必ずしもこの実施の形態に限定されるものではない。
【００４２】
（実施の形態１）
まず、本実施の形態１によるマルチメディア再生装置、および番組提供システムについて、図面を参照しつつ説明する。
【００４３】
図１は本実施の形態１によるマルチメディア再生装置の基本構成を示すブロック図である。図１において、受信部Ａ１０１は、例えばデジタル放送を受信するためのチューナであり、デジタル放送局から送信されるＭＰＥＧ２−ＴＳ（Ｍｏｖｉｎｇ　Ｐｉｃｔｕｒｅ　Ｅｘｐｅｒｔｓ　Ｇｒｏｕｐ　２　−　Ｔｒａｎｓｐｏｒｔ　Ｓｔｒｅａｍ）を受信する。このＭＰＥＧ２−ＴＳには、放送中の番組のビデオデータとオーディオデータ（コンテンツデータ）とともに、放送予定番組のジャンルや放送時間などに関する電子番組ガイドや視聴料金情報などの番組情報も多重化されている。
【００４４】
受信部Ｂ１０２は、例えばコンテンツ配信サービスを行っているインターネット配信局からインターネット経由で配信される番組を受信するためのインターフェースであり、ＭＰＥＧ２−ＴＳを受信する。また、受信部Ｂ１０２は、インターネット配信局が配信する番組の番組情報の受信も行う。
【００４５】
なお、本実施の形態１では、データフォーマットとしてＭＰＥＧ２−ＴＳを例に挙げて説明しているが、ＭＰＥＧ２−ＴＳではなく他のデジタルストリームであってもよい。また、本実施の形態１では、受信部Ａ１０１と受信部Ｂ１０２の二つに絞って説明するが、二つに限るものではない。当該マルチメディア再生装置では、複数の異なる番組配信局（デジタル放送局やインターネット配信局など）から配信される番組を受信し再生することができる。
【００４６】
デマルチプレクサ部１０３は、受信部Ａ１０１や受信部Ｂ１０２が受信したＭＰＥＧ２−ＴＳからビデオデータとオーディオデータや、番組情報などを分離しそれぞれをメモリ１０４に転送する。番組情報は、例えば図２に示すように、タイトル名、放送開始日時、放送終了日時、視聴料金（基本視聴料金）、番組内容などの情報で構成される（以降、番組情報の構成要素を属性情報と呼ぶ。）。なお、本実施の形態１では、番組情報をＭＰＥＧ２−ＴＳに多重化して配信しているが、番組情報だけ電話回線などを通して別手段で配信してもよい。
【００４７】
また、デマルチプレクサ部１０３は、メモリ１０４に蓄積されたビデオデータとオーディオデータや、各番組に関する所定の情報を教示するための番組一覧の表示データなどを再生部１０５に転送する。
【００４８】
メモリ１０４は、例えばＲＡＭのような一時記憶手段であり、ビデオデータ、オーディオデータ、番組情報、その他様々なデータを蓄積する。
再生部１０５は、ビデオデータとオーディオデータをそれぞれ復号し外部接続されるテレビ受像機などの表示装置（図示せず）に再生出力することにより番組の再生を行う。また、再生部１０５は、上記表示データを基にしてＯＳＤ（ＯｎＳｃｒｅｅｎ　Ｄｉｓｐｌａｙ）制御を行い、上記表示装置に番組一覧を表示する。
【００４９】
記録媒体１０６は、例えばＨＤＤ（Ｈａｒｄ　Ｄｉｓｋ　Ｄｒｉｖｅ）、ビデオテープ、光ディスクなどであり、多数の番組を蓄積したり長期間保存したりするために使用される。
【００５０】
操作部１０７は、ユーザが当該マルチメディア再生装置を操作するためのマンマシンインターファースであり、例えば、装置本体に設置された釦や、リモコンからの指令を受信する受信部で構成される。
【００５１】
送信部Ａ１０８は、例えばデジタル放送の課金情報を電話回線経由で放送局へ送信する。送信部Ｂ１０９は、例えばインターネットで配信される番組を選択し視聴するために、選択した番組の情報や課金情報をネットワークあるいは電話回線経由でインターネット配信業者へ送信する。なお、本実施の形態１では、送信部Ａ１０８と送信部Ｂ１０９の二つに絞って説明するが、二つに限るものではない。
【００５２】
制御手段１１０は、上記各手段１０１〜１０９を駆動制御する。
本実施の形態１によるマルチメディア再生装置において、番組情報取得手段は、受信部Ａ１０１、受信部Ｂ１０２、デマルチプレクサ部１０３、メモリ１０４、および制御手段１１０で構成される。制御手段１１０は、デジタル放送局からのＭＰＥＧ２−ＴＳ（デジタルストリーム）を受信部Ａ１０１により受信し、デマルチプレクサ部１０３によりこの受信したＭＰＥＧ２−ＴＳから番組情報を分離して抽出しメモリ１０４に蓄積することでデジタル放送局からの番組情報を取得する。また、制御手段１１０は、インターネット配信局から配信される番組情報を受信部Ｂ１０２により受信し、デマルチプレクサ部１０３によりこの受信した番組情報をメモリ１０４に転送し蓄積することでインターネット配信局からの番組情報を取得する。
【００５３】
なお、番組情報が電話回線などを通して別手段で配信されている場合には、デマルチプレクサ部１０３を介さず、電話回線とのインターフェースを用いて番組情報を受信し、メモリ１０４へ転送するようにしてもよい。
【００５４】
また、番組一覧表示指示手段は、操作部１０７と制御手段１１０とで構成され、ユーザが操作部１０７を操作し、デジタル放送で放送予定の番組の一覧表示もしくはインターネットで配信される番組の一覧表示を指示すると、制御手段１１０はこの指示に従う駆動制御を開始する。
【００５５】
また、番組検索手段は、メモリ１０４と制御手段１１０とで構成され、例えば、上記番組一覧表示指示手段によりデジタル放送で放送予定の番組の一覧表示が指示されると、メモリ１０４が記憶している各番組の番組情報を基に、制御手段１１０が、例えばデジタル放送で放送予定の番組のタイトル名と同じタイトル名の番組をインターネットで配信される番組の中から検索する。
【００５６】
また、番組一覧表示制御手段は、デマルチプレクサ部１０３、メモリ１０４、再生部１０５、および制御手段１１０で構成され、例えば、上記番組一覧表示指示手段によりデジタル放送で放送予定の番組の一覧表示が指示され、上記番組検索手段による検索の結果、放送予定番組と同じタイトル名の番組がインターネットで配信される番組の中に存在する場合には、制御手段１１０が、この検索番組の番組情報と放送予定番組の番組情報とを用いて表示データを構築してメモリ１０４に一旦記憶させ、デマルチプレクサ部１０３により再生部１０５へ転送させ、放送予定番組の一覧にインターネットで配信される番組に関する所定の情報（所定の属性情報）を追加したものを上記表示装置に一覧表示させる。
【００５７】
なお、上記番組一覧表示指示手段によりデジタル放送で放送予定の番組の一覧表示が指示された後、インターネット配信局から配信される番組の番組情報を取得するようにしてもよいし、インターネット配信局から配信される番組の番組情報があらかじめ記憶されていたときには、この記憶されている情報を用いればよい。
【００５８】
また、番組記録手段は、受信部Ａ１０１、受信部Ｂ１０２、デマルチプレクサ部１０３、メモリ１０４、および制御手段１１０で構成される。受信部Ａ１０１や受信部Ｂ１０２で受信した番組を記録媒体１０６に記録するときには、制御手段１１０が、デマルチプレクサ部１０３によりこの受信したデジタルストリームからビデオデータとオーディオデータを分離させ、それぞれメモリ１０４へ蓄積させる。そして、このメモリ１０４に蓄積されたビデオデータとオーディオデータを記録媒体１０６に記録させる。
【００５９】
また、番組再生手段は、デマルチプレクサ部１０３、メモリ１０４、再生部１０５、および制御手段１１０で構成される。記録媒体１０６に記録されている番組を再生するときには、制御手段１１０が、記録媒体１０６に記録されているビデオデータおよびオーディオデータをメモリ１０４へ送信し、デマルチプレクサ部１０３により再生部１０５へ転送させ、上記表示装置に再生出力させる。
【００６０】
本実施の形態１によるマルチメディア再生装置によってデジタル放送番組を視聴する場合には、制御手段１１０により以下の駆動制御を行う。すなわち、受信部Ａ１０１によりデジタル放送局からＭＰＥＧ２−ＴＳを受信し、デマルチプレクサ部１０３によりこの受信したＭＰＥＧ２−ＴＳからある放送局（チャンネル）の番組のビデオデータとオーディオデータを分離してメモリ１０４へ蓄積させるのと同時に、メモリ１０４に蓄積されたビデオデータとオーディオデータを再生部１０５へ送信する。再生部１０５は、ビデオデータとオーディオデータを復号し外部接続される上記表示装置に再生出力する。
【００６１】
また、デジタル放送で放送が予定されている番組を一覧表示する場合には、制御手段１１０により以下の駆動制御を行う。すなわち、受信部Ａ１０１によりデジタル放送局からＭＰＥＧ２−ＴＳを受信し、デマルチプレクサ部１０３によりこの受信したＭＰＥＧ２−ＴＳから番組情報を分離してメモリ１０４に蓄積させる。制御手段１１０は、メモリ１０４に蓄積された番組情報を基に、番組一覧を表示するための表示位置を決定し、所定の情報（所定の属性情報）をユーザに教示するための表示データを構築してメモリ１０４に一旦記憶させ、デマルチプレクサ部１０３によりこの表示データを再生部１０５へ送信する。表示データは、例えば図３に示すような番組一覧をデータ化したビットマップデータなどである。本実施の形態１では、各チャンネルのジャンル、各放送予定番組のタイトル名、各放送予定番組の放送時間（放送開始日時、放送終了日時）を所定の情報（所定の属性情報）として表示データを構築する。再生部１０５は、この表示データを基にＯＳＤ制御し、現在放送中の番組の映像とともに放送予定の番組一覧を表示する。なお、ユーザは、操作部１０７を操作し、このＯＳＤ表示上で視聴したいチャンネルを選択することが可能である。
【００６２】
また、インターネットで配信される番組を視聴する場合には、制御手段１１０により以下の駆動制御を行う。すなわち、例えば受信部Ｂ１０２によりインターネット経由で番組情報を受信し、デマルチプレクサ部１０３によりメモリ１０４へ転送して蓄積させる。制御手段１１０は、メモリ１０４に蓄積された番組情報を基に、インターネットで配信される番組リストを表示するための表示位置を決定し、所定の情報（所定の属性情報）をユーザに教示するための表示データを構築してメモリ１０４に一旦記憶させる。そして、デマルチプレクサ部１０３によりこの表示データを再生部１０５へ送信する。
【００６３】
表示データは、例えば図４に示すような番組リストをデータ化したビットマップデータなどである。本実施の形態１では、インターネット配信ですぐに視聴できる番組のリスト表示を行い、カーソル表示されている番組は子画面で内容を表示できるようになっている。
【００６４】
再生部１０５は、この表示データを基にＯＳＤ制御してインターネットで配信される番組のリストを表示する。
ユーザが操作部１０７を操作し、視聴したい番組をＯＳＤ表示上で選択すると、マルチプレクサ部１０３によりこの選択した番組の番組情報がメモリ１０４から送信部Ｂ１０９へ転送され、インターネット配信業者に送信される。インターネット配信業者は、送信された番組情報を基に、ユーザが選択した番組をＭＰＥＧ２−ＴＳでインターネット配信する。
【００６５】
受信部Ｂ１０２によりＭＰＥＧ２−ＴＳを受信すると、デマルチプレクサ部１０３によりこの受信したＭＰＥＧ２−ＴＳから再生する番組のビデオデータとオーディオデータを分離しメモリ１０４に蓄積させるのと同時に、メモリ１０４に蓄積されたビデオデータとオーディオデータを再生部１０５へ送信する。再生部１０５は、ビデオデータとオーディオデータを復号し外部接続される上記表示装置に再生出力する。
【００６６】
なお、本実施の形態では、ユーザに番組を提供するためのサービス形態としてデジタル放送とインターネット配信を取上げて説明しているが、例えば別のマルチメディア再生装置からの番組配信など他のサービス形態でも適用することができる。マルチメディア再生装置同士で番組を配信し合うには、マルチメディア再生装置同士をネットワークを介して接続する手段と、記録媒体１０６に記録されている番組をネットワークを介して送受信する手段とからなる記録番組提供手段を具備する必要がある。また、さらに、希望する番組の番組情報を送受信する手段や、受信した番組情報を基に希望する番組の所定の情報（タイトル名など）を表示させる手段などを具備させてもよい。加えて、受信した番組情報を基に、記録媒体に記録されている番組の中から希望する番組と同じタイトル名の番組を自動検索する手段などを具備させてもよい。
【００６７】
次に、このように構成される当該マルチメディア再生装置の番組一覧表示動作について説明する。
まず、ユーザにより操作部１０７からデジタル放送の番組一覧表示が指示されると、制御手段１１０は、受信部１０１Ａで受信したデジタル放送番組の番組情報をメモリ１０４に蓄積させる。次に受信部１０１Ｂで受信したインターネット配信番組の番組情報をメモリ１０４に蓄積させ、このインターネット配信番組の番組情報から各番組のタイトル名一覧を取得しメモリ１０４に記憶させる。そして、このタイトル名一覧の中に、デジタル放送で放送予定の番組のタイトル名と同じタイトル名の番組が存在するか否か検索する。
【００６８】
さらには、メモリ１０４に蓄積されているデジタル放送番組の番組情報（例えばタイトル名の情報）をデマルチプレクサ部１０３により送信部Ｂ１０９へ転送させ、例えばネットワーク経由でインターネット配信サーバ（インターネット配信局）へ送信し、デジタル放送で放送予定の番組と同じタイトル名の番組をインターネット配信サーバ側で検索してもらうとともに、検索された番組の番組情報を当該マルチメディア再生装置へ送信するよう要求し（デマルチプレクサ部１０３、送信部Ａ１０８、送信部Ｂ１０９、および制御手段１１０で構成される番組検索要求手段）、インターネット配信サーバ側で検索した番組の番組情報を例えば受信部Ｂ１０２で受信し、デマルチプレクサ部１０３によりメモリ１０４へ転送するようにしてもよい（受信部Ａ１０１、受信部Ｂ１０２、メモリ１０４、および制御手段１１０で構成される検索番組情報取得手段）。この場合、インターネット配信サーバ側に、当該マルチメディア再生装置から番組情報を受信し番組検索の要求を受諾する番組検索要求受諾手段と、受信した番組情報（例えばタイトル名の情報）を基に、デジタル放送で放送予定の番組と同じ（タイトル名）の番組をサーバ内の番組の中から検索し、この検索した番組の番組情報を当該マルチメディア再生装置へ送信する検索番組情報送信手段とを具備させる。
【００６９】
なお、本実施の形態１では、タイトル名が同じ番組を検索する場合について説明してきたが、無論、俳優名やジャンルなどタイトル名以外の属性情報が同じ番組を検索してもよいし、複数の属性情報をすべて満たす番組や一部を満たす番組を検索してもよい。いずれの属性情報を基に検索を行うかは、ユーザによって指定することができる。このようにすれば、様々なパターンの番組検索が行えるので、利便性を向上させることができる。
【００７０】
検索の結果、デジタル放送で放送予定の番組がインターネットで配信される番組の中に存在する場合には、デジタル放送で放送予定の番組一覧にこの検索番組を追加して表示する。表示方法としては、例えば図５に示すように、デジタル放送の番組一覧の中でカーソル選択した番組について子画面で詳細情報を表示するようにしてもよい。なお本実施の形態１では、図５に示すように、詳細情報として、チャンネルや番組のタイトル名、放送時間（放送開始日時、放送終了日時）、視聴料金、インターネット配信局のサイト名もしくはアドレスなどの所定の情報（所定の属性情報）が表示される。このようにすれば、ユーザは、異なる番組配信局から配信される番組のうち、関連性のあるものの情報を一度に見ることが可能となり、利便性を向上させることができる。
【００７１】
またあるいは、ユーザによる表示方法の選択により、デジタル放送で放送予定の番組の中からインターネットで配信される番組に該当する番組（同じタイトル名の番組）に関する所定の情報（所定の属性情報）を削除した表示データを構築し（メモリ１０４と制御手段１１０とで構成される番組情報削除手段）、デジタル放送の番組一覧を表示させることも可能となる。例えば、図３と比較して図６に示すように、ＣＨ１とＣＨ４の１９：００〜２２：００に放送される番組がインターネットで配信される番組の中に含まれる場合、デジタル放送の番組一覧において、ＣＨ１とＣＨ４の番組を省いてその分他のチャンネルの情報を表示するようにしてもよい。このように異なる番組配信局から配信される番組のうち関連性のあるものを省くようにすることで、例えばユーザが優先的にインターネット配信を利用していた場合には、インターネットで配信される番組が省かれた簡略化されたデジタル放送の番組一覧が表示されるので、ユーザにとって見やすい番組一覧となる。
【００７２】
なお、本実施の形態１においては、デジタル放送の番組一覧表示を前提に説明してきたが、インターネットにより配信される番組のリスト表示（一覧表示）や別のマルチメディア再生装置から配信可能な番組の一覧表示など他の番組配信局についても同様に番組一覧表示を行うことができることは言うまでもない。
【００７３】
また、デジタル放送で放送予定の番組と同じ番組をインターネット配信番組の中から検索することを前提に説明したが、他のデジタル放送局や別のマルチメディア再生装置などから配信される番組の中から検索してもよいことは言うまでもない。
【００７４】
（実施の形態２）
続いて、本実施の形態２によるマルチメディア再生装置、および番組提供システムについて、図面を参照しつつ説明する。但し、本実施の形態２によるマルチメディア再生装置の構成は、図１に示したマルチメディア再生装置と同様であるので説明を省略する。
【００７５】
本実施の形態２と実施の形態１の異なる点は、デジタル放送局やインターネット配信局などの複数の異なる番組配信局から取得した番組情報を基に、配信される番組の中からある番組が選択されると、この選択番組と同じ番組を検索し、選択番組に関する所定の情報（所定の属性情報）と検索した番組の所定の情報（所定の属性情報）を併せて表示する点にある。
【００７６】
以下、本実施の形態２によるマルチメディア再生装置、および番組提供システムについて、実施の形態１と異なる点を詳細に説明していく。
本実施の形態２によるマルチメディア再生装置において、番組情報取得手段は、実施の形態１と同様、受信部Ａ１０１、受信部Ｂ１０２、デマルチプレクサ部１０３、メモリ１０４、および制御手段１１０で構成される。
【００７７】
また、番組選択手段は、メモリ１０４と操作部１０７と制御手段１１０とで構成され、ユーザが操作部１０７を操作し、例えば、インターネットで配信される番組のリスト表示上で少なくとも一の番組を選択することができる。
【００７８】
また、番組検索手段は、メモリ１０４と制御手段１１０とで構成され、例えば、上記番組選択手段によりインターネットで配信される番組の中からある番組が選択されると、メモリ１０４が記憶している各番組の番組情報を基に、制御手段１１０が、この選択された番組のタイトル名と同じタイトル名の番組をデジタル放送で放送予定の番組の中から検索する。
【００７９】
また、番組表示制御手段は、デマルチプレクサ部１０３、メモリ１０４、再生部１０５、および制御手段１１０で構成され、例えば、上記番組選択手段によりインターネットで配信される番組の中からある番組が選択され、上記番組検索手段による検索の結果、選択番組と同じタイトル名の番組がデジタル放送で放送予定の番組の中に存在する場合には、制御手段１１０が、この検索番組の番組情報と選択番組の番組情報とを用いて表示データを構築してメモリ１０４に一旦記憶させ、デマルチプレクサ部１０３により再生部１０５へ転送させ、選択番組に関する所定の情報（所定の属性情報）と、検索番組に関する所定の情報（所定の属性情報）とを併せて上記表示装置に表示させる。
【００８０】
また、番組記録手段は、実施の形態１と同様、受信部Ａ１０１、受信部Ｂ１０２、デマルチプレクサ部１０３、メモリ１０４、記録媒体１０６、および制御手段１１０で構成される。
【００８１】
また、番組再生手段も、実施の形態１と同様、デマルチプレクサ部１０３、メモリ１０４、再生部１０５、記録媒体１０６、および制御手段１１０で構成される。
【００８２】
次に、本実施の形態２によるマルチメディア再生装置の番組表示動作について説明する。
例えば、ユーザが操作部１０７を操作し、インターネットで配信される番組のリスト表示上（ＯＳＤ表示上）で番組Ａが選択されると、制御手段１１０は、受信部１０１Ａでデジタル放送局からのＭＰＥＧ２−ＴＳを受信し、デマルチプレクサ部１０３により番組情報を抽出してメモリ１０４に蓄積させる。そして番組Ａのタイトル名を番組Ａの番組情報から取得し、この番組Ａのタイトル名と同じタイトル名の番組がデジタル放送で放送予定の番組の中に存在するか否か検索する。
【００８３】
さらには、インターネットで配信される番組のリスト表示上で番組Ａが選択されると、メモリ１０４に蓄積されているこの番組Ａの番組情報（例えばタイトル名の情報）をデマルチプレクサ部１０３により送信部Ａ１０８へ転送させ、例えば電話回線経由でデジタル放送局へ送信し、デジタル放送局側で、放送予定の番組の中から番組Ａと同じタイトル名の番組を検索してもらうとともに、検索された番組の番組情報を当該マルチメディア再生装置へ送信するよう要求し（デマルチプレクサ部１０３、送信部Ａ１０８、送信部Ｂ１０９、および制御手段１１０で構成される番組検索要求手段）、デジタル放送局側で検索した番組の番組情報を例えば受信部Ａ１０１で受信し、デマルチプレクサ部１０３によりメモリ１０４へ転送するようにしてもよい（受信部Ａ１０１、受信部Ｂ１０２、メモリ１０４、および制御手段１１０で構成される検索番組情報取得手段）。この場合、デジタル放送局側に、当該マルチメディア再生装置から番組情報を受信し番組検索の要求を受諾する番組検索要求受諾手段と、受信した番組情報（例えばタイトル名の情報）を基に、選択された番組と同じ（タイトル名の）番組をデジタル放送で放送予定の番組の中から検索し、この検索した番組の番組情報を当該マルチメディア再生装置へ送信する検索番組情報送信手段とを具備させる。
【００８４】
なお、実施の形態１と同様、タイトル名が同じ番組を検索するだけでなく、俳優名やジャンルなどタイトル名以外の属性情報が同じ番組を検索してもよいし、複数の属性情報をすべて満たす番組や一部を満たす番組を検索してもよい。いずれの属性情報を基に検索を行うかは、ユーザによって指定することができる。このようにすれば、様々なパターンの番組検索が行えるので、利便性を向上させることができる。
【００８５】
検索の結果、選択された番組Ａと同じタイトル名の番組がデジタル放送で放送予定の番組の中に存在する場合には、選択された番組Ａに関する所定の情報（所定の属性情報）と検索番組に関する所定の情報（所定の属性情報）を教示するための表示データを構築し、当該マルチメディア再生装置に接続される上記表示装置に表示させる。表示方法としては、例えば図７に示すように、ユーザが選択番組Ａと検索番組Ｂの詳細情報を比較できるように表示してもよい。なお本実施の形態２では、図７に示すように、詳細情報として、番組のタイトル名や放送日時（放送開始日時、放送終了日時）、視聴料金（基本視聴料金）などの所定の情報（所定の属性情報）が表示される。
【００８６】
また、検索の結果、選択された番組Ａと同じタイトル名の番組が複数存在する場合には、選択番組Ａに関する所定の情報と、検索されたこれら複数の番組に関する所定の情報とを併せて教示するための一覧表の表示データを構築してもよい。また、複数の番組が選択された場合にも、同様に、選択された複数の番組に関する所定の情報と、検索された番組に関する所定の情報とを併せて教示するための一覧表の表示データを構築してもよい。
【００８７】
なお、本実施の形態２においては、インターネットから配信される番組の中から選択することを前提に説明してきたが、デジタル放送局や別のマルチメディア再生装置などの他の番組配信局から配信される番組の中からも同様に選択可能であることは言うまでもない。
【００８８】
また、選択された番組と同じ番組をデジタル放送で放送予定の番組の中から検索することを前提に説明してきたが、他のインターネット配信局や別のマルチメディア再生装置などの他の番組配信局や、この選択番組を配信する番組配信局自身から配信される番組の中から検索してもよいことは言うまでもない。
【００８９】
以上のように、本実施の形態２によれば、ユーザが選んだ番組に関する所定の情報と、この選ばれた番組と関連性のある番組に関する所定の情報を見やすい表示で提供することが可能となり、利便性を向上させることができる。
【００９０】
（実施の形態３）
続いて、本実施の形態３によるマルチメディア再生装置、および番組提供システムについて、図面を参照しつつ説明する。但し、本実施の形態３によるマルチメディア再生装置の構成は、図１に示したマルチメディア再生装置と同様であるので説明を省略する。
【００９１】
本実施の形態３の実施の形態１、２と異なる点は、例えばインターネットで配信される番組の中からある番組が選択され、この選択番組と同じ番組が検索されると、この検索番組の番組情報を当該インターネット配信局（選択番組を配信する番組配信局）へ送信し、当該インターネット配信局側で、検索番組の放送開始日時あるいは放送終了日時との時間差に応じて選択番組の番組視聴料金を設定する点にある。
【００９２】
以下、本実施の形態３によるマルチメディア再生装置、および番組提供システムについて、実施の形態１、２と異なる点を詳細に説明していく。
本実施の形態３によるマルチメディア再生装置において、番組視聴料金情報要求手段は、デマルチプレクサ部１０３、送信部Ａ１０８、送信部Ｂ１０９、および制御手段１１０で構成され、例えば、インターネットで配信される番組の中からある番組が選択され、この選択番組と同じ番組をデジタル放送で放送予定の番組の中から検索した場合、制御手段１１０は、メモリ１０４に蓄積されているこの検索番組の情報をデマルチプレクサ部１０３により送信部Ｂ１０９へ転送させ、当該インターネット配信局（選択番組を配信するインターネット配信局）へこの検索番組の番組情報を送信するとともに、番組視聴料金情報の送信を要求する。
【００９３】
また、番組視聴料金情報取得手段は、受信部Ａ１０１、受信部Ｂ１０２、デマルチプレクサ部１０３、メモリ１０４、および制御手段１１０で構成され、例えば、上記番組視聴料金情報要求手段によりインターネット配信局へ番組視聴料金情報の送信要求を行った場合、制御手段１１０は、インターネット配信局からの番組視聴料金情報を例えば受信部Ｂ１０２で受信し、デマルチプレクサ部１０３によりメモリ１０４へ蓄積させる。
【００９４】
次に、本実施の形態３によるマルチメディア再生装置と番組提供システムにおける番組視聴料金設定動作について説明する。
例えば、インターネットで配信される番組の中からある番組Ａが選択され、この選択番組Ａと同じ番組がデジタル放送で放送予定の番組の中から検索された場合、メモリ１０４に蓄積されているこの検索番組の番組情報の中から放送開始日時の情報を取得し、送信部Ｂ１０９から当該インターネット配信局（選択番組Ａを配信するインターネット配信局）へ送信し、当該インターネット配信局側で、選択番組Ａの番組視聴料金の設定をしてもらうとともに、この番組視聴料金情報の当該マルチメディア再生装置への送信を要求する。
【００９５】
当該インターネット配信局側では、当該マルチメディア再生装置からの検索番組の番組情報を受信し、番組視聴料金情報の送信要求を受諾する（番組視聴料金受諾手段）と、選択番組Ａの番組視聴料金を検索番組の放送開始日時との時間差に応じて設定し（番組視聴料金設定手段）、この番組視聴料金情報を当該マルチメディア再生装置へ送信する（番組視聴料金情報送信手段）。
【００９６】
番組視聴料金の設定方法としては、例えば、（選択）番組Ａの基本視聴料金が５００円の場合、図８に示すように、検索番組の放送開始日時との時間差ごとに、放送開始日時の４８時間前から２４時間前までは４００円、放送開始日時の２４時間前から放送開始日時までは１００円と割引していき、その後は、放送開始日時からその２４時間後までは２００円、放送開始日時の２４時間後から４８時間後までは４００円と基本視聴料金へ近づけていくようにしてもよい。
【００９７】
なお、このように放送開始日時からの時間差ごとの番組視聴料金を一度に設定してもよいし、当該マルチメディア再生装置からの要求を受信（受諾）した時点（現在日時）での番組視聴料金のみを設定し送信してもよい。
【００９８】
また、放送開始日時の替わりに放送終了日時を用いるようにしてもよい。
また、放送開始日時の替わりに放送開始日時と放送終了日時を用い、例えば、図９に示すように、検索番組の放送時間帯のみ１００円としてもよい。
【００９９】
また、番組視聴料金を設定する替わりに基本視聴料金からの割引率を設定し、この割引率の情報を基本視聴料金の情報とともに送信するようにしてもよい。
なお、本実施の形態３では、インターネットにより配信される番組の番組視聴料金を設定することを前提に説明してきたが、デジタル放送局や別のマルチメディア再生装置などの他の番組配信局により配信される番組についても同様に番組視聴料金の設定を行えることは言うまでもない。
【０１００】
また、複数の番組が選択された場合にも同様に番組視聴料金の設定を行えることは言うまでもない。
【０１０１】
【発明の効果】
以上のように、本発明によれば、デジタル放送やインターネットを介したコンテンツ配信サービスなどの様々なサービス形態により配信される無数の番組の中から、ユーザにとって最適な条件で好みの番組を視聴できるようにすることが可能となる。
【０１０２】
すなわち、デジタル放送局やインターネット配信局などの複数の異なる番組配信局から配信される各番組の番組情報を基に、ある番組配信局から配信される番組と同じ番組を他の番組配信局から配信される番組の中から検索し、上記ある番組配信局から配信される番組に関する所定の情報と、これらの番組と関連性のある他の番組配信局から配信される番組（検索番組）に関する所定の情報とを併せて表示するので、ユーザは、上記ある番組配信局から配信される番組に関する所定の情報と、これらの番組と関連性のある番組（検索番組）に関する所定の情報を見比べることができ、ユーザにとって最適な条件の番組を視聴することが可能となる。
【０１０３】
また、各番組配信局から配信される各番組の番組情報を基に、ユーザが選択した番組と同じ番組を検索し、この選択番組に関する所定の情報と、選択番組と関連性のある番組（検索番組）に関する所定の情報とを併せて表示するので、ユーザは、選択番組に関する所定の情報と、選択番組と関連性のある番組（検索番組）に関する所定の情報を見比べることができ、ユーザにとって関心のある番組を最適な条件で視聴することが可能となる。
【０１０４】
また、各番組配信局から配信される各番組の番組情報を基に、ある番組配信局から配信される番組と同じ番組を他の番組配信局から配信される番組の中から検索し、上記ある番組配信局側で、検索番組の放送日時に応じた番組視聴料金の設定を行うので、ユーザにとってより好適な条件で番組配信を受けることが可能となる。
【０１０５】
また、各番組配信局から配信される各番組の番組情報を基に、ユーザが選択した番組と同じ番組を検索し、この選択番組を配信する番組配信局側で、検索番組の放送日時に応じた番組視聴料金の設定を行うので、ユーザにとってより好適な条件で番組配信を受けることが可能となる。
【図面の簡単な説明】
【図１】本発明の実施の形態１〜３によるマルチメディア再生装置の基本構成を示すブロック図
【図２】番組情報を説明するための一例を示す図
【図３】デジタル放送の番組一覧表示を説明するための一例を示す図
【図４】インターネットで配信可能な番組のリスト表示を説明するための一例を示す図
【図５】本発明の実施の形態１によるマルチメディア再生装置におけるデジタル放送の番組一覧の表示方法を説明するための一例を示す図
【図６】本発明の実施の形態１によるマルチメディア再生装置におけるデジタル放送の番組一覧の表示方法を説明するための一例を示す図
【図７】本発明の実施の形態２によるマルチメディア再生装置における選択番組と検索番組の表示方法を説明するための一例を示す図
【図８】本発明の実施の形態３によるマルチメディア再生装置における番組視聴料金の設定方法を説明するための一例を示す図
【図９】本発明の実施の形態３によるマルチメディア再生装置における番組視聴料金の設定方法を説明するための一例を示す図
【符号の説明】
１０１　受信部Ａ
１０２　受信部Ｂ
１０３　デマルチプレクサ部
１０４　メモリ
１０５　再生部
１０６　記録媒体
１０７　操作部
１０８　送信部Ａ
１０９　送信部Ｂ
１１０　制御手段
【図１】
2004104721.tif 000003
【図２】
2004104721.tif 000004
【図３】
2004104721.tif 000005
【図４】
2004104721.tif 000006
【図５】
2004104721.tif 000007
【図６】
2004104721.tif 000008
【図７】
2004104721.tif 000009
【図８】
2004104721.tif 000010
【図９】
2004104721.tif 000011